(57)【特許請求の範囲】
【請求項１】
上杭の下端と下杭の上端とが相互に当接されかつこの当接部分の外周部に複数の分割リングが嵌合されて該上杭と下杭とが相互に連結される杭の継手構造に於いて、前記上杭の下端と下杭の上端の外周に沿って夫々半径方向に突出した突条部が突設され、これ等の突条部は前記分割リングの内周面に設けられた横溝内に嵌入され、かつ該分割リングの各分割端部には半径方向に突出し、一辺が杭の軸芯に対して平行に形成され、該一辺に対応する他辺が杭の軸芯に対して傾斜した杭の半径方向内側に傾斜するテーパー面で形成されてなる突片が突設され、かつ相互に接近された前記分割リングの一対の突片が、徐々に巾狭になるように構成されると共に内周面に該一対の突片が嵌入し得る縦溝が設けられ、かつ該縦溝の両内側面には前記突片のテーパー面に対応するテーパー面が設けられたソケット部材を前記分割リングの一対の突片に嵌入することによって締結されていることを特徴とした杭の継手構造。
【請求項２】
前記上杭と下杭との杭端接続面に夫々端板が取り付けられ、かつこれ等の端板の外周縁が夫々杭端の外周面より半径方向に突出して突条部を形成していることを特徴とした請求項１の杭の継手構造。
【請求項３】
前記上杭と下杭との杭端の接続外周面に夫々リングブロックが溶着されており、かつこれ等のリングブロックの外周面に突条部が突設されて構成されていることを特徴とした請求項１の杭の継手構造。
【請求項４】
前記上杭と下杭との端部に設けられた鋼製端板の外周の突条部に溶接用の開先溝を設けたことを特徴とする請求項１，請求項２又は請求項３の杭の継手構造。
【発明の詳細な説明】
【０００１】
【産業上の利用分野】
本発明は、地中に打設されるコンクリート杭等の継手構造に係り、特に軽量で簡単な構造を有しかつ作業性の極めて良い杭の継手構造に関するものである。
【０００２】
【従来の技術】
従来のこの種の杭の継手構造としては、例えば実公平６ー４７９６５号公報、実開平５ー８１３２６号公報或いは図８及び図９に示す技術が公知である。これ等の公知技術の杭の構造は、いずれも上杭５１と下杭５２の上下端面に夫々端板５３，５４を取り付けると共に、これ等の端板５３，５４の外周面より突出させて突条部５５を設けるか、或いは端板５３，５４の外周面に夫々取り付けられたリングブロック５６，５７の外周面に夫々突条部５８を突設した構造である。
【０００３】
また、これ等の上杭５１と下杭５２との接続部の外周には、リング体を複数に分割して形成した分割リング５９が嵌合されていた。これ等の分割リング５９の外周面には杭軸方向に傾斜するテーパー面が設けられ、かつその内周面には、前記突条部５５，５８を嵌入することが出来る横溝６０が穿設されている。
【０００４】
合体された分割リング５９の周りには円筒形の外リング６１が嵌合されている。この外リング６１の内周面には、前記分割リング５９の外周面のテーパー面に対応するテーパー面が設けられており、合体された分割リング５９の周りに外リング６１を嵌合した場合には、複数の分割リング５９を外リング６１で締め付けて、夫々上杭５１と下杭５２との杭端に設けられた端板５３，５４を強く引き寄せて、上杭５１と下杭５２とを相互に圧着固定し得るように構成されていた。
【０００５】
【発明が解決しようとする課題】
然るに、前記公知技術の杭の継手構造に於いては、上下の杭５１，５２を接続する作業をする以前に、外リング６１の中に下杭５２を貫通させ、この外リング６１を下杭５２の周りに取り付けておかなければならなかった。処で、この外リング６１は５〜１４ｋｇｆの重量があるためにその労力と手間が大変である問題があった。また、杭を接続する際には、この重量のある外リング６１を持上げて、分割リング５９の周りに強制的に嵌合させなければならず、作業性が悪い問題もあった。
【０００６】
更に、予め外リング６１を下杭５２の周りに取り付ける際に、外リング６１の内周面に設けられたテーパーの傾きを間違えたまま貫入させてしまう問題もあった。この場合には外リング６１の差し直し等をしなければならないので、その作業が大変である問題があった。
【０００７】
本発明に係る杭の継手構造は、前述の従来の多くの問題点に鑑み開発された全く新しい技術であって、特に分割リングの各分割端部に突設された突片を所定のソケット部材を利用して締結することによって、複数の分割リングを上下杭の接続部分の周りに極めて簡単な作業で締め付けて取り付けることが出来る杭の継手構造の技術を提供するものである。
【０００８】
【課題を解決するための手段】
本発明に係る杭の継手構造は、前述の従来の問題点を根本的に改善した技術であって、その第１発明の要旨は、上杭の下端と下杭の上端とが相互に当接されかつこの当接部分の外周部に複数の分割リングが嵌合されて該上杭と下杭とが相互に連結される杭の継手構造に於いて、前記上杭の下端と下杭の上端の外周に沿って夫々半径方向に突出した突条部が突設され、これ等の突条部は前記分割リングの内周面に設けられた横溝内に嵌入され、かつ該分割リングの各分割端部には半径方向に突出し、一辺が杭の軸芯に対して平行に形成され、該一辺に対応する他辺が杭の軸芯に対して傾斜した杭の半径方向内側に傾斜するテーパー面で形成されてなる突片が突設され、かつ相互に接近された前記分割リングの一対の突片が、徐々に巾狭になるように構成されると共に内周面に該一対の突片が嵌入し得る縦溝が設けられ、かつ該縦溝の両内側面には前記突片のテーパー面に対応するテーパー面が設けられたソケット部材を前記分割リングの一対の突片に嵌入することによって締結されていることを特徴とした杭の継手構造である。
【０００９】
また、本発明に係る杭の継手構造の第２発明の要旨は、前記上杭と下杭との杭端接続面に夫々端板が取り付けられ、かつこれ等の端板の外周縁が夫々杭端の外周面より半径方向に突出して突条部を形成していることを特徴とした第１発明の杭の継手構造である。
【００１０】
本発明の第３発明の要旨は、前記上杭と下杭との杭端の接続外周面に夫々リングブロックが溶着されており、かつこれ等のリングブロックの外周面に突条部が突設されて構成されていることを特徴とした第１発明の杭の継手構造である。
【００１１】
本発明の第４発明の要旨は、前記上杭と下杭との端部に設けられた鋼製端板の外周の突条部に溶接用の開先溝を設けたことを特徴とする第１発明，第２発明又は第３発明の杭の継手構造である。
【００１２】
【作用】
本発明に係る第１発明は、接合される上杭と下杭との下上端部の周りに夫々突条部が突設され、かつ上下杭の接合部の周りに取り付けられた複数の分割リングの内周面に設けられた横溝内に前記突条部が嵌入されているので、これ等の分割リングによって、上下杭を接合することが出来る。また、分割リングの各分割端部には、半径方向に突出した突片が突設され、かつ相互に接近された一対の突片はソケット部材によって相互に締結されるので、これによって複数の分割リングを簡単な構造で上下杭の接合部の周りに締め付けて固定することが出来る。
【００１３】
特に、分割リングの各分割端部には半径方向に突出し、杭の軸芯に対して平行に形成された一辺と、杭の軸芯に対して傾斜した杭の半径方向内側に傾斜するテーパー面が設けられた他辺とからなる突片が突設され、かつソケット部材の内周面には、徐々に巾狭になるように構成されると共に内周面に一対の突片が嵌入し得る縦溝が設けられ、かつ該縦溝の両内側面には前記突片のテーパー面に対応するテーパー面が設けられているので、該ソケット部材を隣接した一対の突片に嵌合させて下側から上側に向けて移動させて並列された一対の突片をソケット部材の縦溝内に相対的に深く嵌入することによって、相互に隣接する分割リングを強固に連結することが出来る。従って、地中に杭が埋設されるときにソケット部材が抜けない方向に力が加わるように作用する。
【００１４】
本発明の第２発明に於いては、前記上杭と下杭との杭端接続面に夫々端板が取り付けられると共に、これ等の端板の外周縁が杭端の外周面より半径方向に突出して突条部を形成しているので、杭端の周りに取り付けられた複数の分割リングの横溝内にこれ等の突条部を嵌入させることが出来る。従って分割リングを介して夫々の端板及びこれ等が連結された上下の杭を相互に連結することが出来る。
【００１５】
本発明の第３発明に於いては、前記上杭と下杭との杭端の接続外周面に夫々リングブロックが溶着されており、かつこれ等のリングブロックの外周面に突条部が突設されているので、杭端の周りに取り付けられた複数の分割リングの横溝内にこれ等の突条部を嵌入させることが出来る。従って、分割リングと及びリングブロックとを介して上下の杭を相互に連結することが出来る。
【００１６】
本発明の第４発明に於いては、前記上杭と下杭との端板の外周の突条部に溶接用の開先溝を設けて構成したので、前述のように分割リングをこの端板の外周部に取付けない場合には、この開先溝の部分を溶接することによって、上下の杭を相互に連結することが出来る。このように、端板の外周に溶接用の開先溝を設けることは、前述のような本発明の分割リングにより嵌合する際にも、何等邪魔にならず、トラブルが発生することはない。また、このような開先溝を設けた場合には溶接継手用の杭体としても転用が可能である。
【００１７】
【実施例】
図により本発明に係る杭の継手構造について説明すると、図１は本発明に係る杭の継手構造の側面の一部断面説明図、図２は図１の継手構造の正面図、図３（Ａ），（Ｂ）は夫々図１の継手構造の要部の部品を示す説明図、図４は図２の継手構造の要部の断面説明図、図５は各構成部品の寸法例を示す説明図、図６は他例の継手構造の一部断面説明図、図７は更に他例の継手構造を示す一部断面説明図である。
【００１８】
図１乃至図４に於いて、１は上杭であり、２は下杭である。これ等の上下杭１，２の下端或いは上端には、夫々端板３，４がＰＣ鋼材１ａ，２ａなどにより定着されており、かつこれ等 の端板３，４の外周面には夫々半径方向に突出した突条部３ａ，４ａが突設されている。前記上下杭１，２の端部外周面には夫々補強リング５が巻き付けられている。６はリング体を複数に分割した分轄リングであって、前記上下杭１，２の杭端の外周面に当接し得る内径を有している。また、各分割リング６の内周面には、前記一対の突条３ａ，４ａを嵌入することが出来る横溝７が穿設されている。
【００１９】
前記分割リング６の各分割端部には夫々半径方向に突出した突片８が突設されている。この突片８は、特に図３（Ａ）及び図４で明らかな如く、一辺８ａが上杭１、下杭２の軸心に対して平行に形成され、かつこの一辺に対応する他辺８ｂが上杭１、下杭２の軸心に対して傾斜した杭の半径方向内側に傾斜するテーパー面を形成している。
【００２０】
９は円弧板状のソケット部材であって、その内周面には、前記一対の突片８を嵌入し得る縦溝１０が穿設されている。この縦溝１０は、特に図３（Ｂ）及び図４に明らかな如く、この両側面には夫々前記突片８のテーパー面に対応するテーパーが設けられ、従って上部が巾広で下部に行くに従って徐々に巾狭になるように構成されている。
【００２１】
上述の構成を有する本発明の継手構造の組立構成に当たっては、上下杭１，２に取り付けられた端板３，４の周りに分割リング６を当接すると共に、分割リング６の横溝７内に端板３，４の外周面に突設された突条部３ａ，４ａを夫々嵌入する。次に相互に隣接された一対の突片８の下方からソケット部材９の下面を当接すると共に、一対の突片８をソケット部材９の縦溝１０内に挿入する。
【００２２】
この状態でソケット部材９を上方向に摺動させることによって、縦溝１０と突片８とのテーパー面を相互に強く突当てて、隣接する分割リング６を相互に強く締め付けて、各分割リング６を強固に連結することが出来る。かつこの連結された分割リング６を介して夫々の端板３，４及びこれ等の端板３，４が連結された上下杭１，２を相互に連結することが出来る。従って、ソケット部材９を上方に強く引上げることによって、各分割リング６を強く締め付けて、分割リング６で上下杭１，２を強固に連結することが出来る。
【００２３】
上記実施例に於ける各構成部品の寸法例を図５により説明すると、次の通りである。即ち分割リング６の内周面の凸部の肉厚ａと及び横溝７の深さとは５ｍｍ、他の残りの肉厚ｂは１３ｍｍ、分割リング６に突設された突片８の肉厚及びソケット部材９の縦溝１０の深さｃは５ｍｍ、ソケット部材９の縦溝１０の深さを除く肉厚ｄは１３ｍｍ、分割リング６の上下巾ｅは６０ｍｍ、ソケット部材９の上下巾ｆは７０ｍｍ、端板３，４の厚さｇは１２ｍｍである。
【００２４】
上記実施例に於いては、上下杭１，２の端面に端板３，４を夫々連結し、かつこれ等の端板３，４の外周面を半径方向に突出させて、分割リング６の横溝７内に嵌入し得る突条部３ａ，４ａを形成したが、図６に示す他の実施例に於いては、上下杭１，２の杭端外周面に設けたリング状の溝部に夫々リングブロック１１，１２を半ば埋込むようにして夫々溶着し、かつこのリングブロック１１，１２の外周面に夫々突条部１１ａ，１２ａを突設し、これ等の突条部１１ａ，１２ａを分割リング６の横溝７内に嵌入するように構成している。その他分割リング６とソケット９の締結関係は図１の例と同様である。
【００２５】
前述の図１の実施例に於いては、上下杭１，２の端面に端板３，４がＰＣ鋼材１ａ，２ａ等により定着されており、かつこれ等の端板３，４の外周面を半径方向に突出させて、分割リング６の横溝７内に嵌入し得る突条部３ａ，４ａを形成したが、図７に示す他の実施例に於いては、更に端板３，４の外周面に夫々半径方向に突出した突条部３ａ，４ａの杭端側外周に、端板３，４の端面に隣接して溶接用の開先溝３ｂ，４ｂを夫々設けて構成している。その他の分割リング６とソケット部材９とは図１の実施例と同様である。
【００２６】
従って、図７に示す実施例に於いては、この開先溝３ｂ，４ｂを使用して、この部分に溶接を施すことによって、上杭１と下杭２とを溶接によって相互に連結することが出来る。前述のように分割リング６とソケット部材９とを使用して上杭１と下杭２との連結を行なわない場合には、この溶接のみで、上下杭１，２の締結を行なうことが出来る。また、分割リング６等の使用と溶接とを併用して上下杭１，２を連結した場合には、両者の結合をより強固にすることが出来る。また、上下端１，２の端板３，４にこれ等の開先溝３ｂ，４ｂを設けることは容易であり、かつこの開先溝３ｂ，４ｂが分割リング６等の使用に邪魔になることはない。
【００２７】
【発明の効果】
本発明に係る杭の継手構造は、前述の構造と作用とを有するので、次のような多大な効果を有している。
【００２８】
（１）上下杭の接続部の外周面に当接された複数の分割リングを、軽くかつ極めて簡単な構造で相互に連結することが出来る。（２）従って、現場に於ける杭の継手作業を極めて単純化し、容易にすることが出来る。（３）分割リングの分割端部に夫々片側面にテーパー面を設けた突片を突設し、かつ隣接された２個の突片が嵌入し得る溝をソケット部材の内面に設け、隣接された一対の突片を該縦溝に嵌入することによって、各分割リングを該ソケット部材を介してこれ等のテーパー面を深く合致させることによって強く締結させることが出来る。
【００２９】
（４）上下杭の杭端の外周面に突出させる突条部は、杭端に連結された端板そのものを突出させて形成することも、或いは杭端の周りに溶着されたリングブロックの外周の一部を突出させて形成することも出来る。
【００３０】
（５）杭の端板に開先溝を設けた場合には、この開先溝に溶接を施すことにより杭を連結することも出来る。或いは溶接と分割リング等とを併用して杭をより強固に連結することも出来る。またこのように端板に設けた開先溝が分割リング等の使用を妨げることはない。
【図面の簡単な説明】
【図１】  本発明に係る杭の継手構造の側面の一部断面説明図である。
【図２】  図１の継手構造の正面図である。
【図３】  図３（Ａ），（Ｂ）は夫々図１の継手構造の要部の部品を示す説明図である。
【図４】  図２の継手構造の要部の断面説明図である。
【図５】  各構成部品の寸法例を示す説明図である。
【図６】  他例の継手構造の一部断面説明図である。
【図７】  更に他例の継手構造を示す一部断面説明図である。
【図８】  従来例の杭の継手構造を示す一部断面正面図である。
【図９】  従来の他例の継手構造を示す一部断面正面図である。
【符号の説明】
１            上杭              ２              下杭
1a，2a        ＰＣ鋼材          ３，４          端板
3a，4a        突条部            3b，4b          開先溝
５            補強リング        ６              分割リング
７            横溝              ８              突片
8a            一辺              8b              他辺
９            ソケット部材      10              縦溝
11，12        リングブロック    11a，12a        突条部
51            上杭              52              下杭
53，54        端板              55，58          突条部
56，57        リングブロック    59              分割リング
60            横溝              61              外リング
【図１】
0003748126.tif 000002
【図２】
0003748126.tif 000003
【図３】
0003748126.tif 000004
【図４】
0003748126.tif 000005
【図５】
0003748126.tif 000006
【図６】
0003748126.tif 000007
【図７】
0003748126.tif 000008
【図８】
0003748126.tif 000009
【図９】
0003748126.tif 000010